(57)【要約】【課題】保持エレメントの、スライド部の摺動から導き出された駆動が改善され得る、飲料容器のための保持装置を提供する。【解決手段】保持装置１０が、スライド部１２の摺動方向で第１の滑子制御装置３８，４６，５０に対してずらされた第２の滑子制御装置４０，４８，５２を、スライド部１２の引出しおよび押込みに際して保持エレメント２２を上方および／または下方へ移動させるために有しているようにした。【選択図】図２
2004314950.tif 000002
【特許請求の範囲】
【請求項１】
飲料容器のための保持装置であって、スライド部が設けられており、該スライド部が滑り案内によって引出し状に、押し込まれた位置と引き出された位置との間で往復摺動可能に案内されており、引き出された位置で飲料容器がスライド部上に据置き可能であり、保持エレメントが設けられており、該保持エレメントがスライド部に可動に設けられていて、滑子制御装置によってスライド部の引出しに際して上方へ移動させられかつ／またはスライド部の押込みに際して再び下方へ移動させられるようになっていて、上方へ移動させられた位置で、引き出されたスライド部上に据え置かれた飲料容器を側方から支持している形式のものにおいて、保持装置（１０）が、スライド部（１２）の摺動方向で第１の滑子制御装置（３８，４６，５０）に対してずらされた第２の滑子制御装置（４０，４８，５２）を、スライド部（１２）の引出しおよび押込みに際して保持エレメント（２２）を上方および／または下方へ移動させるために有していることを特徴とする、飲料容器のための保持装置。
【請求項２】
保持装置（１０）が、保持エレメント（２２）のための案内装置（２８，３０，３２，３４）を有しており、該案内装置（２８，３０，３２，３４）が保持エレメント（２２）を、スライド部（１２）の引出しに際して、スライド部（１２）に関して上方へかつスライド部（１２）の引出し方向に移動させるようになっている、請求項１記載の保持装置。
【請求項３】
保持エレメント（２２）のための案内装置が、旋回レバー（２８）を有しており、該旋回レバー（２８）が、スライド部（１２）と保持エレメント（２２）とに旋回可能に枢着されている、請求項２記載の保持装置。
【請求項４】
保持エレメント（２２）のための案内装置が、滑子案内装置（３０，３２，３４）を有している、請求項２記載の保持装置。
【請求項５】
保持装置（１０）が、飲料容器のための少なくとも２つの保持エレメント（２０，２２）を有しており、該保持エレメント（２０，２２）が、スライド部（１２）の引出しに際して上方へ移動させられるようになっていて、上方へ移動させられた位置で、スライド部（１２）上に据え置かれた飲料容器をその外周部の種々異なる箇所で側方から支持する、請求項１記載の保持装置。
【請求項６】
保持装置（１０）のスライド部（１２）が、スライド部（１２）上に据え置かれた飲料容器の脚部を収容するための切欠（６４）を備えた据置き面（６２）を有している、請求項１記載の保持装置。
【発明の詳細な説明】
【技術分野】
【０００１】
本発明は、飲料容器のための保持装置であって、スライド部が設けられており、該スライド部が滑り案内によって引出し状に、押し込まれた位置と引き出された位置との間で往復摺動可能に案内されており、引き出された位置で飲料容器がスライド部上に据置き可能であり、保持エレメントが設けられており、該保持エレメントがスライド部に可動に設けられていて、滑子制御装置によってスライド部の引出しに際して上方へ移動させられかつ／またはスライド部の押込みに際して再び下方へ移動させられるようになっていて、上方へ移動させられた位置で、引き出されたスライド部上に据え置かれた飲料容器を側方から支持している形式のものに関する。
【背景技術】
【０００２】
このような形式の保持装置は、ほとんど計り知れないほど多くの種々異なる設計によって自体公知である。前記形式の保持装置は、走行中の自動車内で飲料容器を傾倒防止しながら保持するために用いられる。
【０００３】
前記形式の保持装置は、ドイツ連邦共和国特許出願公開第１９９２６００３号明細書に基づいて公知である。この公知の保持装置はスライド部を有しており、このスライド部は滑り案内によって引出し状に、押し込まれた位置と引き出された位置との間で往復摺動可能に案内されている。押し込まれた位置では、スライド部は例えば自動車のダッシュボード内に沈められている。引き出された位置では、スライド部は乗客室内に突入しており、１つまたは複数の飲料容器がスライド部上に据置き可能である。引き出された位置に存在するスライド部上に据え置かれた飲料容器を傾倒防止しながら保持するために、公知の前記保持装置は保持エレメントを有しており、この保持エレメントはスライド部に可動に設けられていて、スライド部の引出しに際して上方へ移動させられる。保持エレメントは、スライド部上に据え置かれた飲料容器を、十分な間隔を置いてスライド部の上方で側方から支持し、これにより飲料容器を傾倒しながら保持する。スライド部の押込みに際して、保持エレメントは、下方へスライド部上にまたはスライド部内に移動させられる。したがって、スライド部と保持エレメントとの全高が減少され、保持装置は、例えば自動車のダッシュボード内の低い構成スペースに格納可能である。
【０００４】
保持エレメントの上下移動は、公知の前記保持装置の場合、スライド部の移動から導き出され、滑子制御装置が保持エレメントをスライド部の摺動に際して移動させる。この場合、滑子制御装置は保持エレメントを、スライド部の押込みおよび引出しに際して、上方および下方へ移動させることができる。同じく、保持エレメントが一方の方向で、例えばスライド部の引出しに際して上方へ、ばね作動式に移動させられ、かつ滑子案内によって他方の方向に、すなわち例えばスライド部の押込みに際して下方へ移動させられることが、可能である。
【特許文献１】ドイツ連邦共和国特許出願公開第１９９２６００３号明細書
【発明の開示】
【発明が解決しようとする課題】
【０００５】
本発明の課題は、冒頭に述べた形式の、飲料容器のための保持装置を改良して、保持エレメントの駆動装置もしくは滑子制御装置を改善することである。
【課題を解決するための手段】
【０００６】
この課題を解決するために本発明の構成では、保持装置が、スライド部の摺動方向で第１の滑子制御装置に対してずらされた第２の滑子制御装置を、スライド部の引出しおよび押込みに際して保持エレメントを上方および／または下方へ移動させるために有しているようにした。
【発明の効果】
【０００７】
本発明による保持装置は、保持エレメントのための第２の滑子制御装置を有している。両滑子制御装置は２つの駆動装置のように協働し、この場合、両滑子制御装置のうちの各滑子制御装置が、駆動作業および／または駆動力の一部を調達する。両滑子制御装置は、種々異なる力作用方向で保持エレメントに作用することができ、しかも力作用方向は、スライド部の摺動に際して変化させられ得る。両滑子制御装置がスライド部の摺動に際して次々に有効になることも、例えば摺動の開始時には一方の滑子制御装置が、摺動の終了時には他方の滑子制御装置が保持エレメントの駆動を行うことも、可能である。同じく、スライド部の摺動中の保持エレメントの移動に対する両滑子制御装置の寄与も、変化させられ得る。滑子制御装置がスライド部の摺動方向で互いにずらされているという記述によって、例えばスライド部の両側面における２つの合同な滑子制御装置ではなく、設計上種々異なって形成されているおよび／または種々異なって作用する２つの滑子制御装置が問題となっていることを表現したい。本発明によれば、例えばスライド部の両側面に２つの滑子制御装置が設けられていてよい。
【０００８】
本発明は、第２の滑子制御装置が設けられることによって１つの滑子制御装置の負荷が減少されているという利点を有している。これは、一般的にプラスチックから製作されている保持装置の場合、重要な観点である。本発明のさらなる利点は、２つの滑子制御装置が設けられることによって、駆動力と駆動モーメントとの調達および伝達が、それらの作用方向と作用点とに関してスライド部の全摺動と保持エレメントの全移動とにわたってより有利に構成され得ることである。
【０００９】
本発明の１つの構成では、保持エレメントのための案内装置が設けられており、該案内装置が保持エレメントを、スライド部の引出しに際して、上方へ移動させるだけでなく、同時にスライド部に関して引出し方向にも移動させるようになっている。スライド部の押込みに際して、この移動は逆になる。本発明のこの構成によって、保持エレメントを、スライド部自体よりもさらにスライド部の摺動方向に移動させることが可能となる。これにより、スライド部の摺動距離の短縮と、ひいては例えばダッシュボード内の保持装置のための必要な組込みスペースとの短縮が可能となる。
【００１０】
本発明の１つの構成では、旋回レバーが保持エレメントのための案内装置として設けられており、前記旋回レバーが、スライド部と保持エレメントとに旋回可能に枢着されている。これは、複数の旋回レバーを備えた旋回レバー伝動装置であってもよい。旋回可能性に対して付加的に、枢着点に旋回レバーの可能な摺動手段が設けられていてもよい。
【００１１】
本発明のさらなる構成では、滑子案内が、スライド部における保持エレメントのための案内装置として設けられている。一緒に実現することもできる前記の両形式の両案内装置は、スライド部に関して保持エレメントを移動させるための大きい構成可能性を備えた、簡単で可能な案内手段を形成している。
【００１２】
本発明の１つの構成では、飲料容器のための少なくとも２つの保持エレメントが設けられている。該保持エレメントは、スライド部の引出しに際して上方へ移動させられるようになっていて、前記保持エレメント間に収納されかつ引き出されたスライド部上に据え置かれた飲料容器を共同で側方から支持する。本発明のこの構成によって、不使用時に、すなわち特にスライドが押し込まれた状態で、保持エレメントをスライド部内またはスライド部上にスペース節約的に格納することが可能となる。
【００１３】
本発明の１つの構成では、スライド部上に据え置かれた飲料容器の脚部を収容するための切欠を備えた据置き面が設けられている。この構成は次の目的のために役立つ：底部において下向きに突出している突起を有しており、これらの突起がボトルの一種の脚部を形成しているプラスチック（ＰＥＴ）ボトルが公知である。このようなボトルをスライド部上に据え置く際、ボトルの脚部は切欠内に到達し、これにより、ボトルはその底部でより良好に保持される。さらに、ボトルの収納深さが拡大され、ボトルは保持エレメントによって、その底部からの比較的に大きい高さで側方から支持され、ひいてはより傾倒防止されて保持されている。当然のことながら前記切欠は、サイズと配置形式の点で、収納したいボトルに合うように構成されていなければならない。ボトルが規格化されているので、このことは問題ない。底部に前記のような脚部のない飲料容器、例えば飲料缶は、問題なく、通常の形式で保持装置のスライド部上に据え置かれ得る。
【００１４】
本発明が、従属請求項の特徴を独立請求項の第２の滑子制御装置と一緒に予定するようになっている場合でも、１つまたは複数の従属請求項の特徴を備えた保持装置を、保持エレメントのための滑子制御装置とは無関係に形成することも、原則的に可能である。
【発明を実施するための最良の形態】
【００１５】
以下に、本発明の実施の形態を図面につき詳しく説明する。
【００１６】
図１に示した、全体を符号１０で示した本発明による保持装置は、例えば自動車（図示せず）のダッシュボード内に組み込むために設けられている。保持装置１０は箱状の扁平なケーシング１１を有しており、このケーシング１１は一方の端面が開放している。ケーシング１１内にはスライド部１２が収容されている。このスライド部１２はケーシング１１内で引出し状に、図示の引き出された位置とケーシング１１内へ押し込まれた位置（図示せず）との間で往復摺動可能に案内されている。引き出された位置では、スライド部１２はケーシング１１から突出しており、押し込まれた位置では、スライド部１２はケーシング１１内に収容されていて、このケーシング１１の開放している端面をパネル１４によって閉鎖している。ケーシング１１はスライド部１２のための滑り案内を形成している。スライド部１２の後面に設けられた渦巻ばね１６は、その自由端部１８がケーシング１１の開放している端面の近くでケーシング１１に取り付けられている。この渦巻ばね１６はスライド部１２を、引き出された位置に摺動させる。図示しないプッシュ・プッシュ・ロック機構（Push-Push-Verriegelungsmechanik）がスライド部１２を渦巻ばね１６の力に抗して、ケーシング１１内に押し込まれた位置に保持する。パネル１４が軽く押されることによって、プッシュ・プッシュ・ロック機構は自体公知の形式でロック解除され得る。
【００１７】
スライド部１２上には、引き出された位置で、２つの飲料容器、例えば飲料缶またはプラスチック（ＰＥＴ）ボトルが並べて据置き可能である。各飲料容器に対してスライド部１２は２つの保持エレメント２０，２２を有している。両保持エレメント２０，２２は旋回可能にスライド部１２に設けられていて、スライド部１２の引出しに際して上方に旋回する。それぞれ１つの、後方の保持エレメント２０は、つる状に形成されていて、脚付きばね２４によって上方に旋回させられる。他方の、前方の保持エレメント２２はプラスチック部材であり、このプラスチック部材は、各飲料容器のためのばね負荷されたＣ字形のヨーク２６を有している。前方の保持エレメント２２は旋回レバー２８と、前方の保持エレメント２２をスライド部１２において可動に案内するための滑子案内３０とを有している。旋回レバー２８は前方で、スライド部１２の中央に配置されている。旋回レバー２８の一方の端部はスライド部１２に旋回可能に支承されていて、他方の端部は保持エレメント２２に旋回可能に支承されている。スライド部１２が引き出された状態でかつ保持エレメント２２が上方に旋回させられた後に、旋回レバー２８は斜め上向きに立っていて、ケーシング１１の方向に幾分戻るように傾斜させられている。下方への旋回に際して旋回レバーによって、保持エレメント２２は下方へスライド部１２内に移動させられるだけでなく、同時にスライド部１２に関して後方へケーシング１１の方向にも移動させられる。
【００１８】
滑子案内３０は、スライド部１２の各側面に、合同に設けられている。滑子案内３０は、スライド部１２の各側壁に弓状に延びている滑子軌道３２を有している。この滑子軌道３２内には、滑子ピン３４が摺動可能に係合している。滑子ピン３４は前方の保持エレメント２２と一体的であり、この保持エレメント２２から外向きに突出している。滑子軌道３２は、前方の保持エレメント２２が下方へスライド部１２内に沈められる場合に、この保持エレメント２２がスライド部１２に関して後方へケーシング１１の方向に移動させられるように、方向付けられている。したがって、旋回レバー案内および滑子案内３０によって、前方の保持エレメント２２がスライド部１２内に沈められる場合に、前方の保持エレメント２２がスライド部１２に関して後方へケーシング１１の方向に移動させられる。これとは逆に、前方の保持エレメント２２がスライド部１２から上方へ移動させられる場合には、前方の保持エレメント２２はスライド部１２に関して前方へ移動させられる。スライド部１２に対する前記前方への移動によって、スライド部１２の引出し距離が短縮され得る。
【００１９】
スライド部１２がケーシング１１内に摺動させられる場合、１つの駆動装置が保持エレメント２０，２２を下方に移動させる。この駆動装置は２つの滑子制御装置を有している。両滑子制御装置はスライド部１２の摺動方向に前後に、スライド部１２の各側面に合同に存在する。この滑子制御装置は図２に示してある。両滑子制御装置は共通の旋回レバー３６を有している。この旋回レバー３６は、スライド部１２の側面に旋回可能に設けられている。旋回レバー３６からは２つの滑子ピン３８，４０が外方に突出している。滑子ピン３８，４０は、スライド部１２の側面における円弧状のスリット４２，４４に貫通係合していて、滑子軌道４６，４８と協働する。これらの滑子軌道４６，４８は、ケーシング１１の側壁の内面に配置されている。両滑子軌道のうちの一方の滑子軌道４６は、スライド部１２の押込み方向に弓状に登り勾配になっているランプ５０を有しており、このランプ５０は、滑子軌道４６に対応配置された滑子ピン３８を、スライド部１２の押込みに際して上方に移動させる。他方の滑子軌道４８も同じく弓状の区分５２を有している。この区分５２は、スライド部１２の押込み方向で下方に向かって延びている。スライド部１２がケーシング１１内のかなり奥深くに押し込まれている場合、前記区分５２に他方の滑子ピン４０が係合している。第２の滑子軌道４８のランプ５２は滑子ピン４０を、ケーシング１１内へのスライド部１２の押込みに際して下方へ移動させる。両滑子軌道４６，４８と滑子ピン３８，４０とは共同で、スライド部１２がケーシング１１内に押し込まれる場合に旋回レバー３６がスライド部１２の押込み方向に旋回させられるようにする。さらなる経過において両滑子軌道４６，４８は、スライド部１２の摺動方向に延びている真っ直ぐな区分に移行する。この区分内に滑子ピン３８，４０が、ケーシング１１内へのスライド部１２のさらなる押込みに際して到達する。
【００２０】
旋回レバー３６は、前方の保持エレメント２２の後端に旋回可能に枢着されている。旋回レバー３６がケーシング１１内へのスライド部１２の押込みに際して先述の形式でスライド部１２の押込み方向に旋回させられる場合、この旋回レバー３６は、前方の保持エレメント２２の、旋回レバー３６に向けられた後端を、後方へ、すなわちスライド部１２の押込み方向に引っ張り、かつ前方の保持エレメント２２の前記案内装置２８，３０を介して保持エレメント２２を下方へスライド部１２内に旋回させる。保持エレメント２２は、同時に、先述の形式でスライド部１２に向かって押込み方向で移動させられる。スライド部１２の引出しに際して、脚付きばねエレメント５４は、滑子ピン３８，４０が滑子軌道４６，４８の真っ直ぐな区分から自由に出て滑子軌道４６，４８の弓状の区分５２およびランプ５０の領域内に到達する場合に、旋回レバー３６をスライド部１２の引出し方向に旋回させる。これにより、前方の保持エレメント２２は上方に旋回させられるだけでなく、同時に、先述の形式でスライド部１２に向かって前方へも、すなわちスライド部１２の引出し方向にも移動させられる。したがって、ケーシング１１からの前方の保持エレメント２２の、スライド部１２に比べて拡大された引出し距離が生ぜしめられる。
【００２１】
両後方の保持エレメント２０は、スライド部１２の押込みに際して、それぞれ１つの引張りレバー５６によって下方へスライド部１２内に旋回させられる。引張りレバー５６は旋回レバー３６において旋回可能であり、後方の保持エレメント２０に剛性的に結合されたレバー５８に結合されている。脚付きばね６０は後方の保持エレメント２０を、スライド部１２の引出しに際して上方に旋回させる。スライド部１２の引き出された位置および保持エレメント２０，２２の上方に旋回させられた位置で、２つの飲料容器（図示せず）が傾倒防止されて保持エレメント２０，２２間に収納可能である。
【００２２】
スライド部１２はプレート状の支持部６２を有している。この支持部６２は、制限された旋回角度だけ下方へ旋回可能にスライド部１２に支承されている。支持部６２は、保持装置１０内に収納された飲料容器のための据置き面として働く。支持部６２は各飲料容器のための切欠６４を有している。これらの切欠６４は、公知のプラスチックボトルの脚部が切欠６４に係合するように配置されていてかつ形成されている。したがって一方では、前記のようなボトルの、その底部における保持が改善されていて、傾倒に対する安全性が高められている。さらに、切欠６４によって前記ボトルは比較的に深く保持装置１０内に収納され、したがって前記ボトルの外周部の比較的に高い箇所で保持エレメント２０，２２によって支持される。このことによっても、保持装置１０内に収納されたボトルの、傾倒に対する安全性が高められている。スライド部１２の引出しに際して、支持部６２は、制限された旋回角度だけ下方に旋回する。ケーシング１１内へのスライド部１２の押込みに際して、支持部６２は、ケーシング１１の底部の前方の縁部に沿って滑動し、ひいては上方へスライド部１２内に押し入れられる。
【図面の簡単な説明】
【００２３】
【図１】本発明による保持装置の斜視図である。
【００２４】
【図２】図１における矢印ＩＩ方向で見た部分を拡大して示す断面図である。
【符号の説明】
【００２５】
１０  保持装置、  １１  ケーシング、  １２  スライド部、  １４  パネル、  １６  渦巻ばね、  １８  自由端部、  ２０，２２  保持エレメント、  ２４  脚付きばね、  ２６  ヨーク、  ２８  旋回レバー、  ３０  滑子案内、  ３２  滑子軌道、  ３４  滑子ピン、  ３６  旋回レバー、  ３８，４０  滑子ピン、  ４２，４４  スリット、  ４６，４８  滑子軌道、  ５０  ランプ、  ５２  弓状の区分、  ５４  脚付きばねエレメント、  ５６  引張りレバー、  ６０  脚付きばね、  ６２  支持部、  ６４  切欠
【図１】
2004314950.tif 000003
【図２】
2004314950.tif 000004